(57)【要約】【課題】本発明の目的は、画像加工処理機能をもてないほどリソースの乏しい携帯端末に対して、加工処理をした画像データの送受を仲介することのできるサーバを提供することである。【解決手段】端末から無線通信で画像データを受信する受信手段と、この受信した画像データから加工対象の画像データを取得する取得手段と、この加工対象の画像データを加工する加工手段と、この加工した画像データを無線通信で出力する出力手段とを備える画像処理サーバ。【選択図】　　　図１
2004032576.tif 000002
【特許請求の範囲】
【請求項１】
端末から無線通信で画像データを受信する受信手段と、
この受信した画像データから加工対象の画像データを取得する取得手段と、
この加工対象の画像データを加工する加工手段と、
この加工した画像データを無線通信で出力する出力手段とを備える画像処理サーバ。
【請求項２】
端末から無線通信で画像データを受信する受信手段と、
この受信した画像データから加工対象の画像データを取得する取得手段と、
この加工対象物の画像データと他の画像データを合成する合成手段と、
この加工した画像データを無線通信で出力する出力手段とを備える画像処理サーバ。
【請求項３】
前記加工対象のデータベースをさらに備え、
前記取得手段は、このデータベースを用いて、前記加工対象の画像データを取得することを特徴とする請求項１又は２記載の画像処理サーバ。
【請求項４】
前記他の画像データを記憶しているデータベースをさらに備えることを特徴とする請求項１又は２記載の画像処理サーバ。
【請求項５】
前記受信手段は、前記端末から前記他の画像データも受信することを特徴とする請求項１又は２記載の画像処理サーバ。
【請求項６】
前記出力手段は、前記端末へ出力することを特徴とする請求項１又は２記載の画像処理サーバ。
【請求項７】
前記出力手段は、前記端末とは異なる他の端末へ出力することを特徴とする請求項１又は２記載の画像処理サーバ。
【請求項８】
画像データを作成する端末と、
前記端末から無線通信で画像データを受信する受信手段と、
この受信した画像データから対象物のデータを取得する取得手段と、
この取得した対象物のデータを加工する加工手段と、
この加工した画像データを無線通信で出力する出力手段とを備える画像処理システム。
【発明の詳細な説明】
【０００１】
【発明の属する技術分野】
本発明は、画像データの加工を行うサーバに関し、特に、携帯端末から受信した画像データと他の画像データとの合成を行うサーバに関する。
【０００２】
【従来の技術】
静止画の記録に続き、動画像の撮影、圧縮、伸展する装置やソフトウェアの組込みが携帯電話機をはじめとする小型の携帯端末へ行われているものの、動画を交換、配信された動画の受信といった機能に限られていた。
【０００３】
【発明が解決しようとする課題】
これは、端末が、画像の加工処理を行うほどの処理能力や処理ソフトというリソースを持ってないほどの大きさだからである。
本発明の目的は、画像加工処理機能をもてないほどリソースの乏しい端末に対して、加工処理をした画像データの送受を仲介することのできるサーバを提供することである。
【０００４】
【課題を解決するための手段】
第１の発明は、端末から無線通信で画像データを受信する受信手段と、この受信した画像データから加工対象の画像データを取得する取得手段と、この加工対象の画像データを加工する加工手段と、この加工した画像データを無線通信で出力する出力手段とを備える画像処理サーバである。
【０００５】
第２の発明は、端末から無線通信で画像データを受信する受信手段と、この受信した画像データから加工対象の画像データを取得する取得手段と、この加工対象物の画像データと他の画像データを合成する合成手段と、この加工した画像データを無線通信で出力する出力手段とを備える画像処理サーバである。
【０００６】
第３の発明は、前記加工対象のデータベースをさらに備え、前記取得手段は、このデータベースを用いて、前記加工対象の画像データを取得することを特徴とする第１又は第２の発明記載の画像処理サーバである。
【０００７】
第４の発明は、前記他の画像データを記憶しているデータベースをさらに備えることを特徴とする第１又は第２の発明記載の画像処理サーバである。
第５の発明は、前記受信手段は、前記端末から前記他の画像データも受信することを特徴とする第１又は第２の発明記載の画像処理サーバである。
第６の発明は、前記出力手段は、前記端末へ出力することを特徴とする第１又は第２の発明記載の画像処理サーバである。
第７の発明は、前記出力手段は、前記端末とは異なる他の端末へ出力することを特徴とする第１又は第２の発明記載の画像処理サーバである。
第８の発明は、画像データを作成する端末と、前記端末から無線通信で画像データを受信する受信手段と、この受信した画像データから対象物のデータを取得する取得手段と、この取得した対象物のデータを加工する加工手段と、この加工した画像データを無線通信で出力する出力手段とを備える画像処理システムである。
【０００８】
【発明の実施の形態】
以下、本発明の実施の形態について図面を参照しながら説明する。
図１は本実施形態に係る画像処理システムの概略構成図である。送信側携帯端末１００で撮影された画像データは、画像処理サーバ２００へ無線通信（例えばＣＤＭＡ（Ｃｏｄｅ　Ｄｉｖｉｓｉｏｎ　Ｍｕｌｔｉｐｌｅ　Ａｃｃｅｓｓ）などの携帯電話）で送られる。画像処理サーバ２００では、送られてきた画像データに画像処理を行ってから、受信側携帯端末３００へ無線通信で送る。そして、受信側携帯端末で画像処理されたデータを表示させる。以下、本画像処理システムの詳細な流れを図２のフローチャートを参照しながら説明する。
【０００９】
（送信側携帯端末１００での処理）
送信側携帯端末１００では、画像作成装置１１０で被写体（例えば人物）を撮影する（Ｓ１１０）。撮影した画像データは圧縮装置１２０で所定のフォーマットで圧縮される（Ｓ１２０）。所定のフォーマットとしては、例えば、静止画像の場合はＪＰＥＧ（Ｊｏｉｎｔ　Ｐｈｏｔｏｇｒａｐｈｉｃ　Ｅｘｐｅｒｔｓ　Ｇｒｏｕｐ）形式、動画像の場合はＭＰＥＧ（Ｍｏｖｉｎｇ　Ｐｉｃｔｕｒｅ　Ｅｘｐｅｒｔｓ　Ｇｒｏｕｐ）を用いればよい。また、背景画像選択装置１３０では、合成したい背景画像を選択する。この背景画像選択方法としては、送信側携帯端末１００のディスプレイに表示されている背景画像をキー入力装置などで選択すればよい。そして、背景画像を選択した情報は、圧縮した画像データと共に、無線送信装置１４０から画像処理サーバ２００へ送られる（Ｓ１３０）。
【００１０】
（画像処理サーバ２００での処理）
画像処理サーバ２００では、送信側携帯端末１００から送られてきた圧縮画像データ及び背景画像選択情報２６０を受信装置２１０で受信する（Ｓ２１０）。圧縮画像データは伸展装置２２０で前記所定のフォーマットで伸展される（Ｓ２２０）。画像認識装置２３０では、この伸展された画像データから予め登録されている人物データベース２４０を用いて、人物データと背景データに切り分ける画像認識を行い、人物画像データを取得する（Ｓ２３０）。尚、画像認識の詳細については後述する。画像合成装置２５０は、取得した人物画像データを加工する。加工の一例としては、合成処理が挙げられる。受信装置２１０から受け取った背景画像選択情報２６０に応じて背景データベース２７０から他の背景データを選択し、この他の背景データと切出した人物データとを画像合成する（Ｓ２４０）。合成した画像は圧縮装置２８０で圧縮してから（Ｓ２５０）、無線送信装置２９０から受信側携帯端末３００へ送られる（Ｓ２６０）。
【００１１】
（受信側携帯端末３００での処理）
受信側携帯端末３００では、画像処理サーバ２００から送られてきた圧縮合成画像データを受信装置３１０で受信する（Ｓ３１０）。圧縮合成画像データは伸展装置３２０で伸展される（Ｓ３２０）。伸展した合成画像データは画像表示装置へ表示される。
【００１２】
（画像認識装置２３０での処理）
図３は、画像認識装置２３０で行われる処理のフローチャートである。ここでは、人物画像の切り出しの一例として顔画像の切り出し方法について説明する。
まず、伸展装置２２０から受け取った画像データを入力する（Ｓ４１０）。次に、入力画像から部分空間法を用いて顔領域を抽出する（Ｓ４２０）。この部分空間法では、平均的な顔パターンを表すいくつかのテンプレートを用いる。このテンプレートを画像全体にわたって移動させながら類似度を求めていき、類似度がしきい値より高い領域を顔領域として抽出する。次に、抽出された顔領域から瞳及び鼻孔の顔特徴点を検出する（Ｓ４３０）。この検出方法は、まず分離度フィルタで円形の特徴点を瞳及び鼻孔の候補点として検出する。検出された特徴点候補には、瞳及び鼻孔以外に目じりや目頭、まゆなどが含まれるため、部分空間法を用いたパターン照合によりこれらの点が正しい瞳及び鼻孔であるか否かを検証すればよい。次に、検出された瞳及び鼻孔の４点を基準とした二次元アフィン変換により、顔領域を一定の大きさ、向きに正規化パターンを作成する（Ｓ４４０）。作成された正規化パターンと人物データベース２４０とを比較し、類似度の高い人物データが見つかった場合（Ｓ４５０のＹｅｓ）、この人物データ（例えば、髪型）をもとに、人物画像の切り出しを行うことができる（Ｓ４６０）。また、この人物データとしては、肩幅の広さなどのデータも入っていれば、顔画像だけでなく、上半身の画像を切り出すこともできる。
【００１３】
このような実施形態によれば、画像加工処理機能をもてないほどリソースの乏しい携帯端末であっても、画像データの送信及び背景データの指示さえすれば、後は、画像処理サーバが自動的に画像加工処理を行ってくれる。
【００１４】
上述した実施の形態は、本発明の好適な具体例であるから、技術的に好ましい種々の限定が付されているが、本発明の趣旨を逸脱しない範囲であれば、適宜組合わせ及び変更することができることはいうまでもない。例えば、無線通信としては、携帯電話の他に、Ｂｌｕｅｔｏｏｔｈ　ＴＭ、無線ＬＡＮであってもよいし、送信側携帯端末１００と受信側携帯端末が同じであってもよい。また、送信側携帯端末１００は背景データとして自ら撮影した画像データを利用するように指示することも可能である。この場合、背景画像選択情報２６０と共に、撮影した画像データを画像処理サーバへ送ればよい。
【００１５】
【発明の効果】
上述したように本発明によれば、画像加工処理機能をもてないほどリソースの乏しい端末に対して、加工処理をした画像データの送受を仲介することのできるサーバを提供することができる。
【図面の簡単な説明】
【図１】本実施形態に係る画像処理システムの概略構成図。
【図２】本実施形態に係る画像処理システムのフローチャート。
【図３】画像認識装置２３０で行われる処理のフローチャート。
【符号の説明】
１００　送信側携帯端末
１１０　画像作成装置
１２０　画像圧縮装置
１３０　背景画像選択装置
１４０　無線送信装置
２００　画像処理サーバ
２１０　受信装置
２２０　伸展装置
２３０　画像認識装置
２４０　人物データベース
２５０　画像合成装置
２６０　背景画像選択情報
２７０　背景データベース
２８０　圧縮装置
２９０　送信装置
３００　受信側携帯端末
３１０　受信装置
３２０　伸展装置
３３０　画像表示装置
【図１】
2004032576.tif 000003
【図２】
2004032576.tif 000004
【図３】
2004032576.tif 000005